(57)【要約】【課題】高精度なＣＬＶ駆動によるＣＬＶフォーマット露光、あるいはＣＡＶ駆動によるＣＬＶフォーマット露光によって得られる線密度一定な情報トラックを構成するセクタの配置が円周方向に同形な円盤状記録媒体を多層化した記録媒体に対し、各層への同時記録再生動作を可能にし、ＣＬＶ方式の大容量性を失うことなく、データ転送レートの向上を可能とする記録媒体の構成方法、およびピックアップ機構を複雑化することなく、及びデータ処理回路の膨大化をすることなく円盤状記録媒体の記録再生装置を構成すること。【解決手段】等ピッチスパイラル等線密度情報トラックを担持した多層の円盤状記録媒体であって、基準となる層（基準層）とそれ以外の層に形成されている情報トラックの周方向のセクタ配置が同形であり、また、基準層とそれ以外の層に形成されている情報エリア、及びその情報トラックのトラックピッチ、及び情報の基本長が異なる円盤上記録媒体を重ねて多層の記録媒体としたことを特徴とする多層構成の円盤状記録媒体。【選択図】図１
2008071393.tif 000002
【特許請求の範囲】
【請求項１】
等ピッチスパイラル等線密度情報トラックを担持した多層の円盤状記録媒体であって、基準となる層（基準層）とそれ以外の層に形成されている情報トラックの周方向のセクタ配置が同形であり、また、基準層とそれ以外の層に形成されている情報エリア、及びその情報トラックのトラックピッチ、及び情報の基本長が異なる円盤上記録媒体を重ねて多層の記録媒体としたことを特徴とする多層構成の円盤状記録媒体。
【請求項２】
全情報エリアが線密度一定な情報トラックで構成されている基準層以外の層を構成する円盤状記録媒体において、各情報エリア内で、連続的にトラックピッチ及び情報の基本長を変えて情報トラックが形成されていることを特徴とする請求項１に記載の多層構成の円盤状記録媒体。
【請求項３】
全情報エリアが線密度一定な情報トラックで構成されている基準層以外の層を構成する円盤状記録媒体において、各情報エリア内をゾーンに分け、ゾーン毎にトラックピッチ及び情報の基本長を変えて情報トラックが形成されていることを特徴とする請求項１に記載の多層構成の円盤状記録媒体。
【請求項４】
各層の情報エリア内に円周方向に同形配置に形成されているセクタを、同心かつある半径線に対し一意の関係もって重ねて多層化したことを特徴とする請求項１乃至３のいずれかに記載の円盤状記録媒体。
【請求項５】
基準となる円盤状記録媒体以外の層内の情報トラックにおいて、基準となる層の情報トラック内セクタをトラック方向にほぼ同一長だけ平行移動させたセクタ配置を有する円盤状記録媒体を用いて多層化したことを特徴とする請求項１乃至３のいずれかに記載の円盤状記録媒体。
【発明の詳細な説明】
【技術分野】
【０００１】
本発明は、複数のピックアップ手段を搭載した単一のピックアップ移動手段を用いて、各ピックアップ手段が、各層に対応し各層に対し同時記録再生動作を可能とする記録に適し多層に構成された円盤状記録媒体に関する。
【背景技術】
【０００２】
特許文献１（特開平１１−２３８３０７号公報）には、市販の両面ＤＶＤ−ＲＡＭディスクを用いて、上下両面のマルチヘッド構成により高速データレート記録再生を実現することを目的とするもので、ＤＶＤ−ＲＡＭ両面ディスクを用い、両面２ヘッド構造で、回転方向が反対の面の光ヘッドを各ゾーン毎に外周トラックから内周トラックにトレースした後、次のゾーンの外周トラックへジャンプすることにより、反対面のゾーンと同じゾーンを同時に記録再生していくことで、線速度のズレなく安定に記録再生しながら２倍のデータレートを実現することを特徴とする情報記録再生装置が記載されている。
また、特許文献２（特開平７−２４９２３８号公報）には、両面同時記録再生を行ったとき、円盤状光記録媒体の片面側からだけ記録再生を行った場合のデータ転送速度の約２倍のデータ転送速度が得られるとともに、ディスク基板を構成する２枚の基板の基板中心が一致しており偏芯が生じることのない円盤状光記録媒体及びその製造方法を提供することを目的とするもので、螺旋状又は同心円状の記録トラックが形成された２枚の基板を貼り合せ、両主面の記録トラックに対して同時記録及び／又は再生を行なう円盤状光記録媒体の製造方法において、各基板の記録領域から外れた位置に基準マークを形成し、この基準マークによって物理アドレスの周方向における位置を位置合わせするとともに、第２の基準マークによって、２枚の基板の基板中心を互いに位置合わせしながら２枚の基盤を貼り合せることを特徴とする円盤状光記録媒体及びその製造方法が記載されている。
また、特許文献３（特開平６−１５０３８３号公報）には、上側基板、下側基板を同時にアクセスでき、しかも簡単に安価に製造し得る両面光ディスクを提供することを目的とするもので、互いに逆方向にアドレス情報が記録された信号面を有し、前記信号面上に記録媒体層を形成した２枚の基板を、前記信号面を対向させて貼り合せた情報担体ディスクであって、前記２枚の基板はセンター穴と信号部との間の鏡面部に位置検出用の孔を設けて前期２枚の基板のアドレス情報の位置が重なるように貼り合せるものであることを特徴とする情報担体ディスクが記載されている。
また、我々の先行技術である特許文献４（特許第３７５６００２号公報）には、比較的簡単な方法で、情報トラック数の換算を容易にし、異なる光ディスク原盤により製造されるディスクのフォーマットのバラツキを無くし、高速アクセスが可能なＣＬＶ光ディスクの実現を課題とするもので、所定のデータ領域にトラックの線路長がセクタ長の整数倍である特定トラックが複数本存在し、この特定トラックのセクタ長はトラックピッチの２＊π＊Ｎ（Ｎは正の整数）倍であり、この特定トラックの先頭位置が等トラック間隔で所定の半径線上に整列するようにすることを特徴とするＣＬＶディスクが記載されている。
また、我々の先行技術である特許文献５（特開２００３−０３６５４８号公報）、特許文献６（特開２００４−３１９０５９号公報）には、高精度なＣＬＶ（線速度一定）駆動あるいはＣＡＶ（角速度一定）駆動状態でガラス原盤上に線密度一定な情報トラックＣＬＶフォーマットの形成方法が記載されている。そこでは、高精度なＣＬＶ駆動を実現するための高精度な回転及び送りの駆動指令パルスの生成方法、及びＣＡＶ駆動によってガラス原盤上に情報トラックを形成するための信号を出力するフォーマッタの駆動クロックのクロック発生時刻、あるいはクロック周期、あるいはクロック周期差分を時間軸に沿って演算しながら生成する方法が開示された。
高精度なＣＬＶ駆動あるいは安定したＣＡＶ駆動によるターンテーブル回転動作のもと、この方法によって作成された光ディスク原盤、原盤をもとに作成されるスタンパ、メディアにおいて、情報トラックを構成するセクタの配置は、厳密に正確な配置となる。
従来のＣＬＶ駆動露光によって得られるガラス原盤、スタンパ、メディアにおけるセクタ配置は、原盤露光装置のＣＬＶ駆動制御精度、露光駆動条件により、線速仕様を満たしつつもセクタの配置は理想的な配置とはなっていなかった（ＣＬＶ駆動露光においては、露光半径位置に応じてガラス原盤を担持し回転するターンテーブルの回転数が変化させるが、微視的には、理想的な回転数変化指令に対するフィードバック制御誤差、巨視的には、露光位置に対する回転数指令値自体の誤差に伴って、回転方向のセクタ位置に理想的な配置からの誤差が発生していた。）。
しかしながら、上記従来技術によるＣＡＶ駆動によるＣＬＶフォーマット露光、あるいは高精度なＣＬＶ駆動によるＣＬＶフォーマット露光によって得られる光ディスク原盤、スタンパ、メディアにおいては、ターンテーブルの回転精度は、比較的良い精度で構成可能であること、及び正確なＣＡＶ駆動によるＣＬＶフォーマット露光のためのフォーマッタ駆動クロック生成が可能であることから、セクタ座標は理想的な座標にほぼ等しく形成される。
【０００３】
近年、ネットワークの高速化、地上波デジタル放送の開始、ＨＤＤの大容量化、ＣＰＵの高速化等を背景に、高画質動画像の編集あるいは記録保存デバイスとして、あるいはインターネットを介し膨大な量のデータの蓄積・検索を行なうデータベースのハードウェアを構成するストレージデバイスシステムにおけるＨＤＤとテープデバイスの中間階層を担うストレージデバイスとして、光ディスクメディアに対する大容量化、データレートの向上、アクセス時間の短縮の要望がある。
【０００４】
大容量化の方法としては、幾つもの方法が検討されており、近接場光を用いて記録再生ビームスポット、トラックピッチ、ピット長を更に小さく形成する方法、記録層の多層化、記録情報の多値化などの方法がある。
基本的な情報トラックの記録再生方法として、従来より線密度一定なデータの記録再生を行なうＣＬＶ方式、角速度一定でデータの記録再生を行なうＣＡＶ方式、ＣＡＶ方式においてディスク半径方向にゾーン分けし外周ゾーン毎にセクタ数を増やし角速度一定で記録再生を行なうＭＣＡＶ方式、ＭＣＡＶ方式において外周ゾーン毎に回転数を減少させて記録再生を行なうＺＣＬＶ方式がある。
記録密度が一番高いのはＣＬＶ方式であり、アクセス性の良いのはＣＡＶ方式である。大容量性、高速アクセス性を合わせ持つ方式としてＭＣＡＶ方式、ＺＣＬＶ方式がある。
【０００５】
また、従来より、データ転送速度の向上を狙って、貼り合せあるいは多層メディアの複数層からの同時記録再生を行なう方法が提案されてきた。
特許文献１〜３もそのような方法を提案している。しかし、そこで対象としているメディアは、特許文献１ではゾーンＣＬＶ方式のメディア、特許文献２ではトラック当り整数個のセクタを有するメディア、特許文献３では図よりセクタが半径方向に整列するメディアと、いずれもトラック当りのセクタ数が整数個となっているメディアである。
【０００６】
また、従来の多層のＣＬＶ方式による円盤状記録媒体として、再生専用のＤＶＤ−ＲＯＭ、追記専用のＤＶＤ＋Ｒｄｕａｌ等がある。
情報トラック面を積層した片面２層、あるいは情報トラック面を対抗貼り合せた両面２層の構成が規格化してある。情報トラックの方向も１層、２層とも同じ内周から外周へ形成される場合、１層目は内周から外周、２層目は外周から内周に形成される場合がある。これらは、いずれも大容量化を図ったもので各層を順次記録あるいは再生を行なうものである。これらの円盤状記録媒体において各層に形成される情報エリアは、全く同形に形成されている。
【０００７】
本発明の課題とするところは、線密度一定の情報トラックを有する記録媒体；ＣＬＶディスクを多層化した、あるいはそれらを裏表貼り合せたメディアの各層に形成される線密度一定な情報トラックへの効率的な同時記録再生を可能にすることにある。
【０００８】
ところで、従来よりあるいは現在も市場に出回っているＣＬＶディスクと、本発明で対象としているＣＬＶディスクには、その形態に大きな違いがあるので、この点についてまず説明しておく。
この違いが、従来ＣＬＶディスクの貼り合せあるいは多層化メディアの同一セクタの同時記録再生を妨げていた原因の一つの要因ともなっている。
【０００９】
一般に、ＣＬＶディスクの原盤露光は、フォトレジストを塗布したガラス原盤を回転させ横へ移動させながらレーザー光を照射し、等線速等ピッチの情報トラックを露光することによって行なわれる。このとき回転及び送り速度は等線速露光となるように露光半径位置に反比例して変化させなければならない。半径位置に応じて正確な回転速度が設定できないと線速誤差となり、露光されるセクタの位置がずれることになる。元々ＣＬＶディスクは音楽というシーケンシャルなデータの再生を目的として作られたものであり、容量は求められたがアクセス性は求めていなかった。また技術的にも、高イナーシャのターンテーブルの回転数を正確に制御して変化させることや正確な回転数指令信号の生成に課題があり、セクタ位置まで指定する厳密な露光を要求されることはなかった。
従って、従来のＣＬＶ駆動露光によって得られるＣＬＶディスクにおけるセクタ配置は、原盤露光装置のＣＬＶ駆動制御精度、露光駆動条件により、線速仕様を満たしつつもセクタの配置は一意に定まったものではなかった。
【００１０】
本発明においては、図８に示すように、２×π×Ｐ（トラックピッチ）の整数倍長で構成されるセクタの連なりで構成される等ピッチスパイラル等線密度情報トラックを用いて説明を行なう。ただし、本発明は、このような構成に限ってはいない。
さて、図８に示すように、２×π×Ｐ（トラックピッチ）の整数倍長で構成されるセクタの連なりで構成される等ピッチスパイラル等線密度情報トラックにおいては、円盤上のある半径線上に特定セクタ先頭位置が半径方向に等トラック間隔で整列点在して形成されるはずであるが、従来のＣＬＶディスクにあっては、その特定セクタを結ぶ線は、図９、図１０に示すようにディスク周方向に湾曲あるいは褶曲して点在し、その分布は使用した原盤露光装置の違い、露光時の駆動条件等によって様々に変化する。このような従来のＣＬＶディスクにおいては、各セクタの位置（あるトラックを基準にしてトラック番号とあるディスク半径線を基準とし回転角）を特定して言い現すことができなかった。
【００１１】
しかしながら、特願２００３−０９１０７８号明細書、特願２００３−３７６７９１号明細書によるＣＡＶ（角速度一定）駆動によるＣＬＶ（線密度一定）フォーマット露光によって得られるＣＬＶディスクにおいては、ガラス原盤を担持し一定回転するターンテーブルの回転精度は高精度に実現可能であること、および、ＣＡＶ駆動によるＣＬＶフォーマット露光のための露光信号を出力するフォーマッタの駆動クロック、ターンテーブルの駆動クロック、送り駆動クロックの正確な生成が可能であることから、セクタ座標は理想的な座標にほぼ等しく形成することが可能となり、前記、２×π×Ｐ（トラックピッチ）の整数倍長で構成されるセクタの連なりで構成される等ピッチスパイラル等線密度情報トラックは、図８のように円盤上のある半径線上に特定セクタ先頭位置が半径方向に等トラック間隔で整列点在して形成できるようになった。
【００１２】
［従来の線密度一定等ピッチスパイラル情報トラックにおけるセクタの配置］
すなわち、従来のＣＬＶ駆動露光によって得られるガラス原盤、スタンパ、メディアにおけるセクタ配置は、原盤露光装置のＣＬＶ駆動制御精度、露光駆動条件により、線速仕様を満たしつつもその配置は理想的な配置とはなっていない。理想的には円盤上記録媒体上のある半径線上に等トラック間隔でセクタ先頭が整列する個所が点在するはずであるが、実際は、本来半径線上に整列すべきものが周方向に湾曲あるいは褶曲線上に点在している。また、この湾曲、褶曲線は、各社各様のＣＬＶ駆動方式を採用した原盤露光装置の違い、あるいは駆動条件の違い等よって様々に変化する。すなわち、これはセクタの配置が異なることを示している。このような装置、露光方法によって得られる‘線密度一定等ピッチスパイラル情報トラックを形成した円盤状記録媒体’を多層化した円盤状記録媒体間に互換性を求めることはできず、本明細書で述べられている発明内容について言及することもできず、本発明において対象としている‘線密度一定等ピッチスパイラル情報トラックを形成した円盤状記録媒体’とはなりえない。
本発明で対象としている‘線密度一定等ピッチスパイラル情報トラックを形成した円盤状記録媒体’は、上記のようにＣＡＶ駆動によるＣＬＶフォーマット露光のような方法によって得られる線密度一定な情報トラックを構成するセクタの配置が、理想的な配置に一致するように形成された円盤状記録媒体であり、本発明は、この対象を得ることによりはじめて言及することが可能になった‘線密度一定等ピッチスパイラル情報トラックを形成した円盤状記録媒体’を貼り合わせて構成される多層の円盤状記録媒体についての発明である。
各社各様の原盤露光装置にあっても、ＣＡＶ駆動（フォトレジストを塗布したガラス原盤を載置したターンテーブルは一定回転数で回転する。）精度については、単一動作であることもありほぼ共通した性能を有する。従って、１方法として特許文献５、６に示される高精度なＣＬＶ駆動、及びＣＡＶ駆動によるＣＬＶフォーマット露光を行なうならば、少なくとも、正確に同期したターンテーブル回転駆動ＣＬＫとフォーマッタ駆動クロックによって、線密度一定の情報トラックを形成するセクタの回転角位置のほぼ同一の円盤状記録媒体が供給され得る。
【００１３】
【特許文献１】特開平１１−２３８３０７号公報
【特許文献２】特開平７−２４９２３８号公報
【特許文献３】特開平６−１５０３８３号公報
【特許文献４】特許第３７５６００２号公報
【特許文献５】特開２００３−３６５４８号公報
【特許文献６】特開２００４−３１９０５９号公報
【発明の開示】
【発明が解決しようとする課題】
【００１４】
本発明は、上記のように高精度なＣＬＶ駆動によるＣＬＶフォーマット露光、あるいはＣＡＶ駆動によるＣＬＶフォーマット露光によって得られる線密度一定な情報トラックを構成するセクタの配置が円周方向に同形な円盤状記録媒体を多層化した記録媒体に対し、各層への同時記録再生動作を可能にし、ＣＬＶ方式の大容量性を失うことなく、データ転送レートの向上を可能とする記録媒体の構成方法、およびピックアップ機構を複雑化することなく、及びデータ処理回路の膨大化をすることなく円盤状記録媒体の記録再生装置を構成することを課題としている。
【００１５】
（請求項１に対応する目的）
単一のピックアップ移動手段に対向する円盤状記録媒体上の情報トラック方向に配置搭載された多層の円盤状記録媒体の各層専用に用意されたピックアップ手段を、円盤状記録媒体上情報エリアの内周位置から外周位置まで移動させたとき、各ピックアップ直下に各層の情報エリア内の対応セクタを含むトラックがほぼ同時に配置されるようにすることを目的とする（図７参照）。
（請求項２に対応する目的）
上記の目的において、基準となる全情報エリアが線密度一定な情報トラックで構成されている層以外の層を構成する円盤状記録媒体内の情報エリアにおいて、対応するピックアップ直下に、各層の情報エリア内の対応セクタを含むトラックが、誤差無く同時に配置されるようにすることを目的とする。
（請求項３に対応する目的）
上記の目的において、基準となる全情報エリアが線密度一定な情報トラックで構成されている層以外の層を構成する円盤状記録媒体内の情報エリアにおいて、対応するピックアップ直下に、各層の情報エリア内の対応セクタを含むトラックが、許容誤差範囲内で同時に配置されるようにし、本発明の円盤状記録媒体の原盤製作装置の構成の簡易化を計ることを目的とする。また、同時にそれは、基準層における情報トラックの記録再生線速との差を小さくすることを目的とする。
（請求項４に対応する目的）
各層毎に用意されたピックアップ手段によって記録あるいは再生される各層内に形成されている情報トラックのセクタ内データの関係が一意に決定されることによりデータの処理の複雑化を避けることを目的とする。
（請求項５に対応する目的）
各層毎に用意されたピックアップ手段によって記録あるいは再生される各層内に形成されている情報トラックのセクタ内データの関係が一意に決定され、かつ各層に対する記録再生動作をほぼ同期して行なえるようにすることを目的とする。
【課題を解決するための手段】
【００１６】
上記課題は、以下の本発明によって解決される。
（１）「（多層１；エリア、トラックピッチ及び基本ｃｂ長の僅かに異なるメディアの重ね合せ）
等ピッチスパイラル等線密度情報トラックを担持した多層の円盤状記録媒体であって、基準となる層（基準層）とそれ以外の層に形成されている情報トラックの周方向のセクタ配置が同形であり、また、基準層とそれ以外の層に形成されている情報エリア、及びその情報トラックのトラックピッチ、及び情報の基本長が異なる円盤上記録媒体を重ねて多層の記録媒体としたことを特徴とする多層構成の円盤状記録媒体」；
（２）「（多層２；ピックアップ直下のトラック位置連続変化で誤差なし）
全情報エリアが線密度一定な情報トラックで構成されている基準層以外の層を構成する円盤状記録媒体において、各情報エリア内で、連続的にトラックピッチ及び情報の基本長を変えて情報トラックが形成されていることを特徴とする前記第（１）項に記載の多層構成の円盤状記録媒体」； 
（３）「（多層３；ピックアップ直下のトラック位置ゾーンで誤差少なし）
全情報エリアが線密度一定な情報トラックで構成されている基準層以外の層を構成する円盤状記録媒体において、各情報エリア内をゾーンに分け、ゾーン毎にトラックピッチ及び情報の基本長を変えて情報トラックが形成されていることを特徴とする前記第（１）項に記載の多層構成の円盤状記録媒体」；
（４）「（前記第（１）項〜第（３）項のメディアで周方向、セクタの同形配置を合わせて重ねる）
各層の情報エリア内に円周方向に同形配置に形成されているセクタを、同心かつある半径線に対し一意の関係もって重ねて多層化したことを特徴とする前記第（１）項乃至第（３）項のいずれかに記載の円盤状記録媒体」および、
（５）「（前記第（１）項〜第（３）項の周方向セクタ先頭合わせて重ねる）
基準となる円盤状記録媒体以外の層内の情報トラックにおいて、基準となる層の情報トラック内セクタをトラック方向にほぼ同一長だけ平行移動させたセクタ配置を有する円盤状記録媒体を用いて多層化したことを特徴とする前記第（１）項乃至第（３）項のいずれかに記載の円盤状記録媒体」。
【発明の効果】
【００１７】
前記第（１）項に対応する作用効果として、多層からなる円盤状記録媒体において、同一ピックアップ移動手段上、対向する円盤状記録媒体の情報トラックの略トラック方向に搭載された複数の各層毎に用意されたピックアップの移動範囲に合わせ、各層に形成される情報エリア内の情報トラックを形成しているので、同一キャリッジの移動に際し、各層に対応したピックアップ直下に、ほぼ、各層の情報エリア内情報トラックの同一セクタを含む同一トラックを配置することが可能な多層からなる円盤状記録媒体を提供できる。
前記第（２）項に対応する作用効果として、前記第（１）項に対応する作用効果において、基準層以外の層内の情報エリアを、連続的にトラックピッチ、及び情報の基本長を変えているので、各層に対応したピックアップ直下に、正確に、各層の情報エリア内情報トラックの同一セクタを含む同一トラックを配置することが可能な、多層からなる円盤状記録媒体を提供できる。
前記第（３）項に対応する作用効果として、前記第（１）項に対応する作用効果において、基準層以外の層内の情報エリアを、半径方向に複数のゾーンに分け、ゾーン毎にトラックピッチ、及び情報の基本長を変えることにより、各層に対応したピックアップ直下に、許容誤差範囲内に、各層の情報エリア内情報トラックの同一セクタを含む同一トラックを配置するようにするので、本願円盤状記録媒体の原盤露光装置における原盤の回転、送り、及び情報トラック信号生成クロックの生成装置を簡易に形成できる。
前記第（４）項に対応する作用効果として、周方向に同形配置された、各層を構成する情報トラック内セクタ間に一意の関係をもって多層化されるので、これらの多層の円盤状記録媒体に対して、情報の記録再生を行なう装置において、各層に対し、一意の記録再生動作を行えばよく、そのデータ処理機能を簡略に構成することができる。
前記第（５）項に対応する作用効果として、多層で構成される円盤状記録媒体において、基準層内のセクタ配置に対し基準層以外の層内のセクタ配置が、略情報トラック方向に平行移動した位置に配置されるので、基準層に対しピックアップ手段により記録再生を行なうとき、これと平行に移動するピックアップ手段によって、基準層以外の層に対して、基準層に対する記録再生動作と同期して各層内の同一セクタに対して同時にデータの記録再生動作を行なうことができるようになる。
【発明を実施するための最良の形態】
【００１８】
以下、本発明を詳細に説明する。
以下の説明においては、説明を解りやすくするために、基本となる円盤状記録媒体層に形成される情報エリア内の情報トラックを、セクタ長が２π×（トラックピッチ）長の整数倍長で構成される等ピッチ等線密度スパイラルトラックとし、ある半径線上に、セクタ長（情報トラックを構成する基本物理長）、及びトラックピッチで決まる、ある特定セクタがあるトラック間隔で整列している円盤状記録媒体を用いて行なう。
セクタ長が、上記のように２π×（トラックピッチ）長の整数倍長でなかったとしても、あるセクタを目印に以下の説明を置き換えれば、同様の説明となる。
また、本発明の多層の円盤状記録媒体が対象としているピックアップ手段は、図７に示されるような、単一のピックアップ移動手段に各層に対応して用意されたピックアップ手段を固定し搭載した機構から構成されるものである。
【００１９】
（請求項１記載の発明の構成・動作）
図１（ａ）に本発明の説明に用いる多層の円盤状記録媒体の基準層となる円盤状記録媒体層の情報トラック構成を示す。半径情報エリア内に形成される情報トラックは、２π×（トラックピッチ）長の整数倍長で構成されるセクタの連なりで、等ピッチ、等線密度で形成されているとする。半径線ＯＲ上には、ある特定セクタが等間隔おきに整列する（○印部。但し○印はアドレス領域であっても、フラグ領域であっても、さらに、その中のフラグ部ＳＹＮＣ、ＳＭ（セクターマーク）、ＶＦＯ、ＡＭ等、或いはこれらの結合であっても無論よい）。
図１（ｂ）には、多層化される基準層以外の層の情報エリア構成を示す。基準層とは、情報エリア半径が異なる。また、情報エリア全領域において基準層と同様の周方向のセクタ長配置を得、基準層に対応したある特定パターンは基準層同様にある半径線ＯＲ上に基準層同様の間隔をおいて整列させるために、セクタ長、及びトラックピッチが異っている。
【００２０】
図２には、上記基準層とそれ以外の層を多層化した例の一部円弧部分を示す。
図は、半径線ＯＲ上、ＡＡ’を通る実線間領域で示される情報エリアを有する基準層（Ａ層）とＡＡ’に平行なＢＢ’あるいはＣＣ’を通る点線間領域で示されるそれ以外の層（Ｂ層、Ｃ層）を多層化した状態を示している。
ここで、本発明の多層の円盤状記録媒体に対向し、データの同時記録再生を行なうピックアップ手段は、基準層に対して記録再生を行なうピックアップ手段（ＰＵａ）が半径線ＯＲ上を移動するものとし、Ｂ層に対して記録再生を行なうピックアップ手段（ＰＵｂ）はＢＢ’線上を、またＣ層に対して記録再生を行なうピックアップ手段（ＰＵｃ）はＣＣ’線上を移動するものとし、これらピックアップ手段は半径線ＯＲに直行する線分上に配置固定されている。
本発明においては、各層に形成される情報エリアは、ピックアップ手段（ＰＵａ）によって対向する基準層内情報エリアＡＡ’間を移動した場合、ピックアップ手段（ＰＵｂ）は対向するＢ層情報エリアのＢＢ’間を、ピックアップ手段（ＰＵｃ）は対向するＣ層の情報エリアのＣＣ’間を移動するように各層の情報エリアが形成される。
【００２１】
（請求項２記載の発明の構成・動作）
図３に、基準層に対向するピックアップ手段（ＰＵａ）、とそれ以外の層に対向するピックアップ手段が半径線ＯＲに直行した位置に配置されている場合の基準層（Ａ層）とそれ以外の層（Ｂ層）の情報トラックのトラックピッチの関係を示す。
図より、Ａ層の情報トラックのトラックピッチ（ＴＰａ）と、Ｂ層の情報トラックのトラックピッチ（ＴＰｂ）の関係は、
ＴＰｂ＝ＴＰａ・ｃｏｓθ        （１）
θは、半径線ＯＲと、円盤状記録媒体の中心Ｏとピックアップ手段ＰＵｂの移動線（線分ＯＲに平行で点Ｂを通る線分ＢＢ’）とＢ層情報トラックとの交点を結ぶ線分がつくる角とする。
図中、θ＝θ１（情報エリア内周部）とθ２（情報エリア外周部）でのトラックピッチの関係は、２θ１＝θ２に採れば、
ＴＰｂ＜ＴＰｂ’＜ＴＰａ
となる。
本発明では、基準層以外の層における情報エリア内情報トラックのトラックピッチを上記式（１）を満足するように形成される。
【００２２】
（請求項３記載の発明の構成・動作）
請求項２記載の基準層以外の層における情報トラックの形成は、原盤露光の際に連続的なセクタ長、及びトラックピッチ変化を必要とする。
また、各層における情報トラックに対する情報の記録再生線速についても、図４に示すように情報エリアの内周部で最も基準層における線速との差が大きくなってしまう。
図４に示すように、基準層以外の層（Ｂ層）において、情報エリアを半径方向に幾つかのゾーンに分け、ゾーン内では同一セクタ長、及び同一トラックピッチとして情報トラックを形成する。
これによって、基準層以外の層に形成される情報トラックを構成するセクタ長を形成するためのセクタ露光パターン生成手段の簡略化、同時に、線速ずれの縮小による記録再生装置の記録再生手段の安定動作が実現できる。
【００２３】
（請求項４記載の発明の構成・動作）
図５に示されるような、周方向に同形なセクタ配置で構成される情報エリアを持つ、基準層とそれ以外の層を、同心に周方向にはある一意な関係で多層化し、一枚の多層の円盤状記録媒体とする。
周方向の一意な関係とは、各層における特定セクタが重なるようにしてもよく、あるいは違っても良く、ある関係を持って多層化されていれば良い。それによって、各層に対して、同時記録再生される対応セクタがいつも同じに得ることができ、情報の記録再生動作の簡略化が計れる。
【００２４】
（請求項５記載の発明の構成・動作）
基準層と、基準層内の情報エリアに形成される半径線ＯＲ上に配置される特定セクタに対応するセクタを、基準層以外の層に対応した層上の情報エリアの略対応ピックアップ手段移動線上に配置した円盤上記録媒体層を多層化する。
図６に、その例を示す。図６（ａ）中、Ａｓ１〜Ａｓ４は、Ａ層内に形成されている特定セクタを示す。図６（ｂ）には、Ｂ層内におけるＡ層内特定セクタＡｓ１〜Ａｓ４に対応した特定セクタＢｓ１〜Ｂｓ４を示している。これら特定セクタＢｓ１〜Ｂｓ４はピックアップ手段ＰＵｂの移動線ＢＢ’に略一致して形成される。
【図面の簡単な説明】
【００２５】
【図１】多層化される各層の情報トラックの構成を示す図である。
【図２】本発明の多層化された各層情報エリアの構成例を示す図である。
【図３】基準層とそれ以外の層の情報トラックピッチの関係を示す図である。
【図４】基準層とそれ以外の層の情報トラック線速の関係を示す図である。
【図５】基準層以外の層のゾーン分けの説明図である。
【図６】基準層及び基準層以外の層での特定セクタの配置の例を示す図である。
【図７】単一ピックアップ移動手段に固定された本発明のピックアップ手段の説明図である。
【図８】本発明のＣＬＶディスクの特定セクタ配置の例を示す図である。
【図９】従来のＣＬＶディスクの特定セクタ配置の例を示す図である。
【図１０】従来のＣＬＶディスクの特定セクタ配置の別の例を示す図である。
【図１】
2008071393.tif 000003
【図２】
2008071393.tif 000004
【図３】
2008071393.tif 000005
【図４】
2008071393.tif 000006
【図５】
2008071393.tif 000007
【図６】
2008071393.tif 000008
【図７】
2008071393.tif 000009
【図８】
2008071393.tif 000010
【図９】
2008071393.tif 000011
【図１０】
2008071393.tif 000012